(57)【特許請求の範囲】
【請求項１】
表面と裏面とを有する板状のベースと、
前記ベースの表面に設けられ、互いに平行な回転軸回りに回転し、互いの少なくとも一部同士が接触して互いの少なくとも一方向の相対回転をロック可能な第一回転部材および第二回転部材と、
前記第一回転部材および前記第二回転部材の少なくとも一方に設けられたストライカ受け部の中を移動可能なストライカと、
前記ベースと前記第一回転部材の間の空間に弾性変形可能に設けられた第一弾性部材と、
前記ベースと前記第二回転部材の間の空間に弾性変形可能に設けられた第二弾性部材と、
を有し、
前記第一回転部材と前記第二回転部材との相対回転がロックされると、前記ストライカの前記ストライカ受け部からの離脱が禁止されたロック状態となり、
前記第一回転部材と前記第二回転部材とのロックが解除されると、前記ストライカの前記ストライカ受け部から離脱が許容されたアンロック状態となり、
前記第一弾性部材は、前記第一回転部材を前記回転軸回りの一方へ回転させるように、前記第一回転部材に力を作用させ、
前記第二弾性部材は、前記第二回転部材を前記回転軸回りの一方または他方へ回転させるように、前記第二回転部材に力を作用させ、
前記第一弾性部材と前記第二弾性部材のいずれか一方の端部が固定され、前記回転軸と平行な方向に突出する突部が、前記第一回転部材と前記第二回転部材のいずれか一方と前記ベースのいずれか一方に設けられ、
前記突部の前記回転軸方向の突出長さは、前記第一弾性部材と前記第二弾性部材のいずれか一方の前記回転軸方向の長さよりも大きい、ロック装置。
【請求項２】
前記突部は、前記第一回転部材に設けられており、
前記突部が前記ベースの前記表面に設けられたストッパ部に接することにより、前記第一回転部材の前記ベースに対する回転が規制される、請求項１に記載のロック装置。
【請求項３】
前記第一回転部材と前記第二回転部材のいずれか一方および前記ベースの少なくとも一方には、前記第一回転部材と前記第二回転部材のいずれか一方と前記ベースとの間に延びる補助突部が設けられている、請求項１または請求項２に記載のロック装置。
【請求項４】
前記突部および前記補助突部は、前記第一回転部材と前記第二回転部材のいずれか一方および前記ベースのいずれか一方に設けられており、
前記突部および前記補助突部は、前記第一回転部材と前記第二回転部材のいずれか一方および前記ベースのいずれか他方に対して３点で接触している、請求項３に記載のロック装置。
【請求項５】
前記第一弾性部材および前記第二弾性部材の少なくとも一方は、前記第一回転部材の前記回転軸または前記第二回転部材の前記回転軸を中心とするフラットスパイラルスプリングであり、
前記補助突部は、前記フラットスパイラルスプリングの外周面に接触する位置に設けられている、請求項３に記載のロック装置。
【発明の詳細な説明】
【技術分野】
【０００１】
本発明は、ロック装置に関する。
【背景技術】
【０００２】
特許文献１などにより、車両用シートなどの回転をロックできるロック装置が知られている。このロック装置は、ベースと、ベース上に回転可能に設けられてストライカが進入可能なスリットを有するフックと、ベース上に回転可能に設けられて、フックの回転を禁止するポール(pawl)とを有する。このロック装置において、小型化のために、フックを回転方向に押圧するスプリングが、ベースとフックとの間に配置され、ポールを回転方向に押圧するスプリングが、ベースとポールとの間に配置されている。
【先行技術文献】
【特許文献】
【０００３】
【特許文献１】日本国特許第４６３３７３９号公報
【発明の開示】
【発明が解決しようとする課題】
【０００４】
このような構成のロック装置では、外力が作用して、フックを押圧するスプリングが収容される空間が縮小されると、スプリングはフックに確実に力を作用させることができない。また、外力が作用して、ポールを押圧するスプリングが収容される空間が縮小されると、スプリングはポールに確実に力を作用さようさせることができない。このため、ベースとフックとの間の空間、および、ベースとポールとの間の空間を確実に確保する必要がある。
そこで特許文献１に記載のロック装置においては、ベース上に、フックとポールをそれぞれ回転可能に支持する２つのシャフトが設けられている。これらのシャフトはそれぞれ、先端側がフックとポールに形成された穴に嵌合する小径部と、基部側がフックとポールの穴よりも大きな径の大径部を有している。これらのシャフトの大径部と小径部との境界となる段部で、それぞれフックとポールとが支持されている。【０００５】
更に、ベースと、フックと、ポールとに、スプリングの端部が係止される係止部をそれぞれ設ける必要がある。【０００６】
即ち、ベースとフックとの間、ベースとポールとの間にそれぞれのスプリングを確実に機能させるための空間をそれぞれ確保する構造と、それぞれのスプリングの端部を係止する構造とが必要となり、ロック装置の構造が複雑になる。【０００７】
本発明は、上記問題点に鑑みてなされたもので、その課題は、簡単な構造のロック装置を提供することにある。
【課題を解決するための手段】
【０００８】
上述した課題のうち少なくとも一つを実現するために、本発明の一側面を反映したロック装置は、  
表面と裏面とを有する板状のベースと、
前記ベースの表面に設けられ、互いに平行な回転軸回りに回転し、互いの少なくとも一部同士が接触して互いの少なくとも一方向の相対回転をロック可能な第一回転部材および第二回転部材と、
前記第一回転部材および前記第二回転部材の少なくとも一方に設けられたストライカ受け部の中を移動可能なストライカと、
前記ベースと前記第一回転部材の間の空間に弾性変形可能に設けられた第一弾性部材と、
前記ベースと前記第二回転部材の間の空間に弾性変形可能に設けられた第二弾性部材と、
を有し、
前記第一回転部材と前記第二回転部材との相対回転がロックされると、前記ストライカの前記ストライカ受け部からの離脱が禁止されたロック状態となり、
前記第一回転部材と前記第二回転部材とのロックが解除されると、前記ストライカの前記ストライカ受け部から離脱が許容されたアンロック状態となり、
前記第一弾性部材は、前記第一回転部材を前記回転軸回りの一方へ回転させるように、前記第一回転部材に力を作用させ、
前記第二弾性部材は、前記第二回転部材を前記回転軸回りの一方または他方へ回転させるように、前記第二回転部材に力を作用させ、
前記第一弾性部材と前記第二弾性部材のいずれか一方の端部が固定され、前記回転軸と平行な方向に突出する突部が、前記第一回転部材と前記第二回転部材のいずれか一方と前記ベースのいずれか一方に設けられ、
前記突部の前記回転軸方向の突出長さは、前記第一弾性部材と前記第二弾性部材のいずれか一方の前記回転軸方向の長さよりも大きい。
【発明の効果】
【０００９】
本発明によれば、簡単な構造のロック装置が提供される。【００１０】
本発明の他の効果は、以下に述べる発明を実施するための形態並びに添付の図面から一層明らかになるであろう。
【図面の簡単な説明】
【００１１】
【図１】本発明の第１実施形態のロック装置の分解斜視図である。
【図２】図１のロック装置のアンロック状態を示す図で、図１のII方向からみた図である。
【図３】図２のロック装置のロック状態を示す図である。
【図４】図１の切断線IV−IVでの断面図である。
【図５】図１の切断線V−Vでの断面図である。
【図６】本実施形態のロック装置の組み付けを説明する図である。
【図７】本発明の第２実施形態のロック装置の分解斜視図である。
【図８】図７のロック装置のアンロック状態を示す図で、図７のVIII方向からみた図である。
【図９】図８のロック装置のロック状態を示す図である。
【発明を実施するための形態】
【００１２】
＜第１実施形態＞
次に図面を用いて本発明の第１実施形態を説明する。図１は第１実施形態のロック装置の分解斜視図、図２は図１のロック装置のアンロック状態を示す図で、図１のII方向からみた図、図３は図２のロック装置のロック状態を示す図である。
【００１３】
（全体構造）
本実施形態のロック装置は、例えば、車体フレームに対するドアの回転をロックするために用いることができる。このほか、座席の回転や、トランクリッドやエンジンフッドの回転をロックするために用いることができる。また、車両に搭載されている物品以外の回転する部材をロックするために、本発明のロック装置を用いることができる。以降の説明においては、車体フレームに対するドアの回転をロックするロック装置の例を説明する。
図１に示すように、ロック装置は、ベース５１と、ストライカ５３とを有する。例えば、ベース５１は車体フレームに固定され、ストライカ５３はドアに固定される。ドアが車体フレームに対して移動すると、ストライカ５３はベース５１に対して移動する。
【００１４】
ベース５１は、表面と裏面とを有する板状の部材である。図１において、左下を向く面が表面であり、右上を向く面が裏面である。ベース５１には、表面から裏面に貫通して、ストライカ５３がその中を移動可能な切り欠き５１ａが設けられている。以降の説明において、図１において切り欠き５１ａを境界にして、ベース５１の左方をベース５１の左部、ベース５１の右方をベース５１の右部と呼ぶ。
【００１５】
ベース５１の左部の表面には、フック５７（第一回転部材の一例）が設けられている。フック５７は、ベース５１と略平行に延びる板状の部材である。このフック５７には表面から裏面に貫通した穴５７ｈが形成されている。ベース５１にも貫通した穴５１ｈが形成されている。この穴５１ｈの径は、フック５７の穴５７ｈの径と略同じに設定されている。
ベース５１の左部の裏面には、ブッシュ４５が設けられている。ブッシュ４５は、ベース５１の穴５１ｈに挿入される円筒部４５ａと、円筒部４５ａの基部に形成されてベース５１の裏面に当接する取付部４５ｂとを有している。
円筒部４５ａの外径は、フック５７の穴５７ｈより若干小さくなるように設定されている。ベース５１の穴５１ｈを挿通した円筒部４５ａは、フック５７の穴５７ｈを挿通し、フック５７の穴５７ｈを通した円筒部４５ａの先端部はかしめられている。このため、フック５７は、ベース５１に対して交差する方向に延びる回転軸回りに回転可能である。
【００１６】
そして、本実施形態では、図２に示すフック５７の位置をアンロック位置、図３に示すフック５７の位置をロック位置という。
【００１７】
ベース５１の右部の表面には、ポール（pawl）６１（第二回転部材の一例）が回転可能に設けられている。ポール６１は、ベース５１と平行に延びる板状の部材である。ポール６１には、表面から裏面に貫通する穴６１ｈが設けられている。ベース５１にも表面から裏面に貫通した穴５１ｉが形成されている。このベース５１の穴５１ｉの径は、ポール６１の穴６１ｈの径と略同じに設定されている。
ベース５１の右部の裏面には、ブッシュ４７が設けられている。ブッシュ４７は、ベース５１の穴５１ｉに挿入される円筒部４７ａと、円筒部４７ａの基部に形成され、ベース５１の裏面に当接する取付部４７ｂとを有している。
円筒部４７ａの外径は、ポール６１の穴６１ｈより若干小さくなるように設定されている。ベース５１の穴５１ｉを挿通した円筒部４７ａは、ポール６１の穴６１ｈを挿通し、ポール６１の穴６１ｈを通した円筒部４７ａの先端部はかしめられている。このため、ポール６１は、ベース５１に対して交差する方向に延びる回転軸回りに回転可能である。
【００１８】
フック５７には、表面から裏面に貫通するスリット５７ａ（ストライカ受け部の一例）が形成されている。ストライカ５３は、このスリット５７ａの中を移動可能である。
また、フック５７の外周部には、第１凸部５７ｂと第２凸部５７ｃが形成されている。第１凸部５７ｂと第２凸部５７ｃとの間には、外周面からその内側に向かって徐々に細くなるように形成された凹部５７ｄが形成されている。更に、フック５７の外周部には、フック５７の回転軸に対して径方向に延出するストッパ突部５７ｓが形成されている。
【００１９】
ポール６１のフック５７と対向する面には、フック５７の凹部５７ｄに係止および離脱可能な凸部６１ａが形成されている。凸部６１ａは、先端部が円弧状で、根元部６１ｓが凹んだ形状になっている。また、ポール６１のフック５７と対向する面には、フック５７の第２凸部５７ｃが進入可能な凹部６１ｂが形成されている。
【００２０】
以上のように、フック５７とポール６１は板状のベース５１の表面に設けられている。また、フック５７とポール６１は互いに平行な回転軸回りに回転可能な部材である。さらに、フック５７とポール６１は、凸部６１ａと凹部５７ｄなど互いの少なくとも一部が接触することにより、互いの少なくとも一方向の相対回転をロック可能とされている。
【００２１】
（第一弾性部材および第二弾性部材）
ベース５１とフック５７との間には、第一スプリング（第一弾性部材の一例）７１が設けられている。第一スプリング７１は、フック５７を時計回り（図２、図３において矢印ＵＬ方向）に回転させるように、フック５７に力を作用させる。第一スプリング７１は、第一スプリング７１の中心軸がフック５７の回転軸と平行となる姿勢で、ベース５１とフック５７との間の空間に弾性変形可能に設けられている。
また、ベース５１とポール６１との間には、第二スプリング７３（第二弾性部材の一例）が設けられている。第二スプリング７３は、ポール６１を反時計回り（図２、図３において、矢印Ｅ方向）に回転させるように、ポール６１に力を作用させる。第二スプリング７３は、第二スプリング７３の中心軸がポール６１の回転軸と平行になる姿勢で、ベース５１とポール６１との間の空間に弾性変形可能に設けられている。
第一スプリング７１および第二スプリングには、例えばフラットスパイラルスプリングやトーションスプリング、あるいは板バネなどの弾性体を用いることができる。
【００２２】
（突部）
フック５７とポール６１とが設けられるベース５１の表面上で、フック５７用の穴５１ｈの回りには、フック５７の回転軸方向においてフック５７に向かって突出する第１突部５１ｂ（突部の一例）、第２突部５１ｃ（補助突部の一例）、第３突部５１ｄ（補助突部の一例）が形成されている。これら３つの突部５１ｂ，５１ｃ，５１ｄの頂部によって、フック５７は３点で支持されている。これら３つの突部のベース５１の表面から頂部までの高さ（フック５７の回転軸方向の突部の寸法）は、フック５７の回転軸方向における第一スプリング７１の寸法より大きく設定されている。
また、ベース５１には、穴５１ｈの中心（フック５７の回転軸）を中心とする円弧状の貫通した長穴５１ｊが形成されている。フック５７には、図４に示すように、ベース５１に向かって突出する突部５７ｅが形成されている。この突部５７ｅの高さは、ベース５１に当接しない高さに設定されている。突部５７ｅとフック５７の回転軸との距離は、穴５１ｈの中心を中心とする円弧状の長穴５１ｊの半径と同じに設定されている。よって、フック５７が回転したときに、回転軸方向から見て、突部５７ｅの描く軌跡は、ベース５１の円弧状の長穴５１ｊと重なる。
【００２３】
フック５７，ポール６１が設けられるベース５１の表面上で、ポール６１用の穴５１ｉの回りにも、ポール６１の回転軸方向においてポール６１に向かって突出する第４突部５１ｅ（突部の一例）、第５突部５１ｆ（補助突部の一例）、第６突部５１ｇ（補助突部の一例）が形成されている。これら３つの突部５１ｅ，５１ｆ，５１ｇの頂部によって、ポール６１が３点で支持されている。これら３つの突部５１ｅ，５１ｆ，５１ｇのベース５１の表面から頂部までの高さ（ポール６１の回転軸方向の突部の寸法）は、ポール６１の回転軸方向における第二スプリング７３の寸法より大きく設定されている。
また、ベース５１には、穴５１ｉの中心（ポール６１の回転軸）を中心とする円弧状の貫通した長穴５１ｋが形成されている。ポール６１には、図５に示すように、ベース５１に向かって突出する突部６１ｅが形成されている。この突部６１ｅの高さは、ベース５１に当接しない高さに設定されている。突部６１ｅとポール６１の回転軸との距離は、穴５１ｉの中心を中心とする円弧状の長穴５１ｋの半径と同じに設定されている。よって、ポール６１が回転したとき、回転軸方向から見て、突部６１ｅの描く軌跡は、ベース５１の円弧状の長穴５１ｋと重なる。
【００２４】
前述した第一スプリング７１の内端部はベース５１の第１突部５１ｂに係止され、外端部はフック５７の突部５７ｅに係止されている。第一スプリング７１はフック５７を時計回りに押圧している。
【００２５】
また、前述した第二スプリング７３の内端部はベース５１の第４突部５１ｅに係止され、外端部はポール６１の突部６１ｅに係止されている。第二スプリング７３はポール６１を反時計回りに押圧している。更に、本実施形態では、第二スプリング７３の内端部が係止される第４突部５１ｅではない、第５突部５１ｆは、第二スプリング７３の外周面が常に当接する位置に形成されている。
【００２６】
以上のように、第一スプリング７１の内端部が固定される第１突部５１ｂが、ベース５１に設けられている。この第１突部５１ｂのフック５７の回転軸方向の突出長さ（ベース５１の表面から第１突部５１ｂの頂部までの長さ）は、第一スプリング７１のフック５７の回転軸方向の長さよりも大きくされている。
また、本実施形態では、第一スプリング７１と同様に、第二スプリング７３の内端部が固定される第４突部５１ｅが、ベース５１に設けられている。このポール６１の回転軸方向における第４突部５１ｅの突出長さは、ポール６１の回転軸方向における第二スプリング７３の長さよりも大きくされている。
【００２７】
（ロック状態およびアンロック状態）
次に、上記構成の作動を説明する。
【００２８】
フック５７がロック位置にある図３の状態では、フック５７の凹部５７ｄと、ポール６１の凸部６１ａとが係合している。このロック状態において、フック５７は回転が禁止され、ストライカ５３はフック５７のスリット５７ａから離脱が禁止されている。つまり、フック５７とポール６１との相対回転がロックされると、ストライカ５３がスリット５７ａからの離脱が禁止されたロック状態となる。
【００２９】
ここで、第二スプリング７３の押圧力に抗して、ポール６１を矢印Ｅの反対方向（時計回り）に回転させると、フック５７の凹部５７ｄと、ポール６１の凸部６１ａとの係合が解除される。すると、フック５７は第一スプリング７１の押圧力により時計回りに回転して図２に示したアンロック状態となり、ストライカ５３はフック５７のスリット５７ａからの離脱が許容される。つまり、フック５７とポール６１との相対回転とのロックが解除されると、ストライカ５３がスリット５７ａからの離脱が許容されたアンロック状態となる。
【００３０】
尚、本実施形態では、ベース５１の外周部にフック５７が設けられる表面側に折り曲げられたストッパ５１ｓ（ストッパ部の一例）が形成されている。このストッパ５１ｓに、アンロック位置にあるフック５７のストッパ突部５７ｓが当接し、それ以上のアンロック位置方向への回転を禁止している。
【００３１】
逆に、図２に示すアンロック状態にある場合、ストライカ５３でフック５７のスリット５７ａの開口部近傍の面５７ｎを押すと、フック５７は第一スプリング７１の押圧力に抗してロック位置方向へ回転する。そして、フック５７の凹部５７ｄと、ポール６１の凸部６１ａとが係合し、フック５７のアンロック方向への回転が禁止され、ストライカ５３はフック５７のスリット５７ａから離脱できない状態でロック状態となる。
【００３２】
（組み付け方法）
次に、上記構成のロック装置の組み付け方法を図１から図３および図６を用いて説明する。図６は本実施形態のロック装置の組み付けを説明する図である。
【００３３】
最初に、ベース５１の裏面側からブッシュ４５の円筒部４５ａをベース５１の穴５１ｈに挿入する。また、ベース５１の裏面側からブッシュ４７の円筒部４７ａをベース５１の穴５１ｉに挿入する。このとき、ベース５１の表面よりも、ブッシュ４５の円筒部４５ａとブッシュ４７の円筒部４７ａが突出する。
【００３４】
次に、ベース５１の一方の面側に第一スプリング７１を配置し、更に、第一スプリング７１の内端部を第１突部５１ｂに係止させる。このとき自然状態にある第一スプリング７１の外端部は、図６の二点鎖線に示すように、長穴５１ｊの一方の端部側に位置する。
【００３５】
ベース５１の裏面側から棒状の治具８１を用い、自然状態にある第一スプリング７１の外端部を長穴５１ｊに沿って長穴５１ｊの他方の端部側（図６の実線で示す位置）へ移動させる。このとき、第一スプリング７１は自然状態より縮径し、弾性反発力が発生する。
【００３６】
フック５７の突部５７ｅが長穴５１ｊと重なるように、ベース５１の表面側から突出したブッシュ４５の円筒部４５ａに、フック５７の穴５７ｈを挿入する。そして、治具８１を取り外すと、第一スプリング７１は弾性反発力により拡径し、第一スプリング７１の外端部は、長穴５１ｊの一方の端部方向へ移動し、フック５７の突部５７ｅに係止される。
【００３７】
更に、ベース５１の表面に第二スプリング７３を配置し、更に、第二スプリング７３の内端部を第４突部５１ｅに係止させる。このとき自然状態にある第二スプリング７３の外端部は、第一スプリング７１と同様に、長穴５１ｋの一方の端部側に位置する。
【００３８】
ベース５１の裏面側から棒状の治具を用い、自然状態にある第二スプリング７３の外端部を長穴５１ｋに沿って長穴５１ｋの他方の端部側へ移動させる。このとき、第二スプリング７３は自然状態より縮径し、弾性反発力が発生する。
【００３９】
ポール６１の突部６１ｅが長穴５１ｋと重なるように、ベース５１の表面側から突出したブッシュ４７の円筒部４７ａに、ポール６１の穴６１ｈを挿入する。そして、治具を取り外すと、第二スプリング７３は弾性反発力により拡径し、第二スプリング７３の外端部は、長穴５１ｋの一方の端部方向へ移動し、ポール６１の突部６１ｅに係止される。
【００４０】
（効果）
上記構成によれば、以下のような効果が得られる。
【００４１】
（１）第一スプリング７１の端部が固定され、回転軸と平行な方向に突出する第１突部５１ｂがベース５１に設けられている。また、第１突部５１ｂの回転軸方向の突出長さは、第一スプリング７１の回転軸方向の長さよりも大きい。
まず、第１突部５１ｂには第一スプリング７１の端部が固定される。このため、第１突部５１ｂは、第一スプリング７１の端部を固定する機能を有する。
また、第１突部５１ｂは、第一スプリング７１を確実に機能させるための空間を確保する機能も備えている。例えば、ロック装置のベース５１に外力が作用してベース５１がフック５７に近づくように撓み、第一スプリング７１が収容されているベース５１とフック５７との間の空間が狭くなる場合がある。
上記本実施形態とは異なり、第１突部５１ｂが設けられていない場合には、ベースとフックとの間の空間が狭くなり、第一スプリングがベースやフックに接触してしまうことがある。第一スプリングがベースとフックとから押付力を受けると、第一スプリングが意図したようにフックに力を作用させることができなくなる虞がある。
しかし、上述した本実施形態のロック装置によれば、第１突部５１ｂの突出長さが第一スプリング７１の回転軸方向の長さより大きい。このため、ベース５１とフック５７との間の空間が狭くなっても、第一スプリング７１がベース５１に接触するより前に、第１突部５１ｂの頂部がフック５７に接触する。さらに、第１突部５１ｂは、突っ張り棒のように機能して、ベース５１とフック５７との間の空間がそれ以上に狭くなることを抑制する。つまり、第１突部５１ｂは、ベース５１とフック５７との間に、第一スプリング７１が変形できる空間を確保する機能も有している。
このように、本実施形態のロック装置によれば、第１突部５１ｂが、第一スプリング７１の端部を固定する機能と第一スプリング７１が変形できる空間を確保する機能という二つの機能を兼ね備えている。このため、ロック装置をシンプルに構成できる。
【００４２】
また、特に、本実施形態においては、第一スプリング７１の内端部を固定する第１突部５１ｂに、上記空間を確保する機能を持たせている。つまり、第１突部５１ｂは、第一スプリング７１の近くに配置されているので、第一スプリング７１の弾性変形を妨げないように、該空間を確保しやすい。
このように、本実施形態の第１突部５１ｂは、効果的に該空間を確保しやすく、かつ、第一スプリング７１との干渉を避けた位置に、設けられている。
【００４３】
なお、第４突部５１ｅも、第１突部５１ｂと同様に機能する。つまり、第４突部５１ｅも、第二スプリング７３の一端部を固定する機能と、ベース５１とポール６１との間の第二スプリング７３が変形する空間を確保する機能とを有する。
【００４４】
（２）本実施形態によれば、ベース５１には、フック５７とベース５１との間に延びる第２突部５１ｃおよび第３突部５１ｄが設けられている。この第２突部５１ｃおよび第３突部５１ｄも、第一スプリング７１が変形するためのベース５１とフック５７との間の空間を確保する機能を有する。これにより、ベース５１とフック５７との間の空間をより確保しやすい。
また、ベース５１には、ポール６１とベース５１との間に延びる第５突部５１ｆおよび第６突部５１ｇが設けられている。第５突部５１ｆおよび第６突部５１ｇも、第二スプリング７３が変形するためのベース５１とポール６１との間の空間を確保する機能を有する。これにより、ベース５１とポール６１との間の空間をより確保しやすい。
【００４５】
（３）本実施形態によれば、第１突部５１ｂおよび第２突部５１ｃ、第３突部５１ｄは、ベース５１に設けられており、第１突部５１ｂ、第２突部５１ｃ、第３突部５１ｄによって、ベース５１とフック５７は３点で接触している。これにより、フック５７のベース５１に対する姿勢が安定する。
なお、上述の実施形態では、第１突部５１ｂ、第２突部５１ｃ、第３突部５１ｄがそれぞれ１点ずつでフック５７と接触する例を説明したが、これに限られない。例えば、第２突部５１ｃと第３突部５１ｄを省略し、第１突部５１ｂによってフック５７がベース５１に３点で接触するように構成してもよい。
あるいは、上述の実施形態では、第１突部５１ｂ、第２突部５１ｃ、第３突部５１ｄの全てをベース５１に設けたが、第１突部５１ｂ、第２突部５１ｃ、第３突部５１ｄのいずれか一つをベース５１に設け、それ以外をフック５７に設けてもよい。
もっとも、上述した（１）の効果を実現するためには、第１突部５１ｂの頂部を常時フック５７に接触させる必要はない。ベース５１に外力が作用しない状態において第１突部５１ｂの頂部をフック５７に接触させず、ベース５１がフック５７に近づくように変形した状態で第１突部５１ｂの頂部がフック５７に接触するように、ロック装置を構成してもよい。
同様に、第４突部５１ｅ、第５突部５１ｆ、第６突部５１ｇによって、ベース５１とポール６１とは３点で接触している。このため、ポール６１のベース５１に対する姿勢が安定する。
【００４６】
（４）本実施形態によれば、第一スプリング７１は、フック５７の回転軸を中心とするフラットスパイラルスプリングであり、第２突部５１ｃおよび第３突部５１ｄは、フラットスパイラルスプリングの外周面に接触する位置に設けられている。
フラットスパイラルスプリングは、弾性変形したときに、その外周面の変動量が小さい。このため、第２突部５１ｃおよび第３突部５１ｄを第一スプリング７１の外周面に接触する位置に設けると、第一スプリング７１が弾性変形した場合でも、第２突部５１ｃおよび第３突部５１ｄが第一スプリング７１と干渉しにくい。
また、第二スプリング７３は、ポール６１の回転軸を中心とするスラットスパイラルスプリングであり、第５突部５１ｆおよび第６突部５１ｇは、スラットスパイラルスプリングの外周面に接触する位置に設けられている。これにより、第５突部５１ｆおよび第６突部５１ｇは、第二スプリング７３が弾性変形した場合でも、第二スプリング７３と干渉しにくい。
【００４７】
尚、本発明は、上記実施形態に限定するものではない。以下のように変形可能である。
【００４８】
上記実施形態では、フック５７を安定した姿勢で回転させるために、円弧状の第１突部５１ｂ、第２突部５１ｃ、第３突部５１ｄの３つの突部を設けたが、突部の形状によっては、二つの突部でもフック５７を安定して回転させることができ、更に、フック５７とベース５１との間で、第一スプリング７１が確実に機能するための空間を確保する機能も実現できる。
【００４９】
同様に、ポール６１を安定した姿勢で回転させるために、円弧状の第４突部５１ｅ、第５突部５１ｆ、第６突部５１ｇの３つの突部を設けたが、突部の形状によっては、二つの突部でもポール６１を安定して回転させることができ、更に、ポール６１とベース５１との間で、第二スプリング７３が確実に機能するための空間を確保する機能も実現できる。
【００５０】
上記実施形態では、ベース５１の突部で第一スプリング７１の内端部を係止し、フック５７の突部で第一スプリング７１の外端部を係止したが、逆に、ベース５１の突部で第一スプリング７１の外端部を係止し、フック５７の突部で第一スプリング７１の内端部を係止してもよい。
【００５１】
同様に、ベース５１の突部で第二スプリング７３の内端部を係止し、ポール６１の突部で第二スプリング７３の外端部を係止したが、逆に、ベース５１の突部で第二スプリング７３の外端部を係止し、ポール６１の突部で第一スプリング７１の外端部を係止してもよい。
【００５２】
上記実施形態では、フック５７を安定した姿勢で回転させるための円弧状の第１突部５１ｂ、第２突部５１ｃ、第３突部５１ｄの３つの突部をベース５１に設けたが、逆に、フック５７に設けてもよい。
同様に、ポール６１を安定した姿勢で回転させるための円弧状の第４突部５１ｅ、第５突部５１ｆ、第６突部５１ｇの３つの突部をベース５１に設けたが、逆に、ポール６１に設けてもよい。
また、第１突部５１ｂにベース５１に設けて、第４突部５１ｅをポール６１に設けてもよい。あるいは、第１突部５１ｂをベース５１に設けて、第４突部５１ｅを設けない構成としてもよい。
【００５３】
また、上述の実施形態では、凸部６１ａと凹部５７ｄとが接触したときに、フック５７とポール６１との相対回転がロックされる例を説明したが、本発明はこれに限られない。本実施形態のロック装置には、フック５７とポール６１との相対回転をロックする機構として、公知のロック装置のロックを実現する機構を採用できる。
【００５４】
また、上述の実施形態では、フック５７の表面から裏面に貫通するスリット５７ａをストライカ受け部とした例を説明したが、フック５７の表面に形成した溝をストライカ受け部としてもよい。
【００５５】
また、上述の実施形態では、ブッシュ４５をベース５１の裏面からフック５７に挿通させ、ブッシュ４７をベース５１の裏面からポール６１に挿通させる例を説明したが、本発明はこれに限られない。フック５７に挿通させたブッシュ４５を表面側からベース５１に取り付け、あるいは、ポール６１に挿通させたブッシュ４７を表面側からベース５１に取り付けてもよい。
【００５６】
また、上述の実施形態では、第１突部５１ｂを第１スプリング７１の回転軸方向の長さより大きく設定した例を説明したが、本発明はこれに限られない。第１突部５１ｂの代わりに、フック５７の突部５７ｅを第１スプリング７１の回転軸方向の長さより大きく設定し、フック５７とベース５１との間の突っ張り棒として機能させてもよい。あるいは、第１突部５１ｂと突部５７ｅの両方を、フック５７の突部５７ｅを第１スプリング７１の回転軸方向の長さより大きく設定し、フック５７とベース５１との間の突っ張り棒として機能させてもよい。また、第１突部５１ｂと突部５７ｅの少なくとも一方が第１スプリング７１の回転軸方向の長さより十分に大きく設定されていれば、第４突部５１ｅやポール６１の突部６１ｅの代わりに第１突部５１ｂと突部５７ｅの少なくとも一方をポール６１とベース５１との間の突っ張り棒として機能させて、第２スプリング７３が確実に機能するための空間を確保することもできる。さらには、第４突部５１ｅやポール６１の突部６１ｅを、ポール６１とベース５１との間の突っ張り棒あるいはフック５７とベース５１との間の突っ張り棒として機能させることもできる。
【００５７】
＜第２実施形態＞
図面を用いて本発明の第２実施形態を説明する。図７は第２実施形態のロック装置の分解斜視図である。図８は図７のロック装置のアンロック状態を示す図である。図７のVIII方向からみた図、図９は図８のロック装置のロック状態を示す図である。
【００５８】
本実施形態においても、ロック装置は、ベース１５１と、ストライカ１５３とを有する。例えば、ベース１５１は車体フレームに固定され、ストライカ１５３はドアに固定される。ドアが車体フレームに対して移動すると、ストライカ１５３はベース１５１に対して移動する。
ベース１５１は、表面と裏面とを有する板状の部材である。図７において、左下を向く面が表面であり、右上を向く面が裏面である。ベース１５１には、表面から裏面に貫通して、ストライカ１５３（図９参照）がその中を移動可能な切り欠き１５１ａが設けられている。以降の説明において、図７において切り欠き１５１ａを境界にして、ベース１５１の左方をベース１５１の左部、ベース１５１の右方をベース１５１の右部と呼ぶ。
【００５９】
スリット１５１ａを挟んで、ベース１５１の左部の表面には、フック１５７（第一回転部材の一例）が設けられている。このフック１５７は、ベース１５１と略平行に延びる板状の部材である。このフック１５７には表面から裏面に貫通した穴１５７ｈが形成されている。ベース１５１にも貫通した穴１５１ｈが形成されている。この穴１５１ｈの径は、フック１５７の穴１５７ｈの径と略同じに設定されている。
ベース１５１の右部の表面には、ブッシュ１４５が設けられている。ブッシュ１４５は、ベース１５１の穴１５１ｈに挿入される円筒部１４５ａと、円筒部１４５ａの基部に形成されてベース１５１の裏面に当接する取付部１４５ｂとを有している。
円筒部１４５ａの外径は、フック１５７の穴１５７ｈより若干小さくなるように設定されている。ベース１５１の穴１５１ｈを挿通した円筒部１４５ａは、フック１５７の穴１５７ｈを挿通し、フック１５７の穴１５７ｈを通した円筒部１４５ａの先端部はかしめられている。このため、フック１５７は、ベース１５１に対して交差する方向に延びる回転軸回りに回転可能である。
【００６０】
そして、本実施形態では、図８に示すフック１５７の位置をアンロック位置、図９に示すフック１５７の位置をロック位置という。
【００６１】
ベース１５１の右部の表面には、ポール１６１（第二回転部材の一例）が回転可能に設けられている。ポール１６１は、ベース１５１と平行に延びる板状の部材である。ポール１６１には、表面から裏面に貫通する穴１６１ｈが設けられている。ベース１５１にも表面から裏面に貫通した穴１５１ｉが形成されている。このベース１５１の穴１５１ｉの径は、ポール１６１の穴１６１ｈの径と略同じに設定されている。
ベース１５１の右部の裏面には、ブッシュ１４７が設けられている。ブッシュ１４７は、ベース１５１の穴１５１ｉに挿入される円筒部１４７ａと、円筒部１４７ａの基部に形成され、ベース１５１の裏面に当接する取付部１４７ｂとを有している。
円筒部１４７ａの外径は、ポール１６１の穴１６１ｈより若干小さくなるように設定されている。ベース１５１の穴１５１ｉを挿通した円筒部１４７ａは、ポール１６１の穴１６１ｈを挿通し、ポール１６１の穴１６１ｈを通した円筒部１４７ａの先端部はかしめられている。このため、ポール１６１は、ベース５１に対して交差する方向に延びる回転軸回りに回転可能である。
【００６２】
フック１５７には、表面から裏面に貫通するスリット１５７ａ（ストライカ受け部の一例）が形成されている。ストライカ１５３は、このスリット１５７ａの中を移動可能である。
また、フック１５７の外周部には、第１凸部１５７ｂと第２凸部１５７ｃが形成されている。第１凸部１５７ｂと第２凸部１５７ｃとの間には、外周面からその内側に向かって徐々に細くなるように形成された凹部１５７ｄが形成されている。
【００６３】
ポール１６１のフック１５７と対向する面には、フック１５７の凹部１５７ｄに係止および離脱可能な凸部１６１ａが形成されている。凸部１６１ａは先端部が円弧状で、根元部１６１ｓが凹んだ形状になっている。また、ポール１６１のフック１５７と対向する面には、フック１５７の第２凸部１５７ｃが進入可能な凹部１６１ｂが形成されている。
【００６４】
以上のように、フック１５７とポール１６１は板状のベース１５１の表面に設けられている。また、フック１５７とポール１６１は互いに平行な回転軸回りに回転可能な部材である。さらに、フック１５７とポール１６１は、凸部１６１ａと凹部１５７ｄなど互いの少なくとも一部が接触することにより、互いの少なくとも一方向の相対回転をロック可能とされている。
【００６５】
（第一弾性部材および第二弾性部材）
ベース１５１とフック１５７との間には、第一スプリング１７１（第一弾性部材の一例）が設けられている。第一スプリング１７１は、フック１５７を時計回り（図８、図９において矢印ＵＬ）に回転させるように、フック１５７に力を作用させる。第一スプリング１７１は、第一スプリング１７１の中心軸がフック１５７の回転軸と平行になる姿勢で、ベース１５１とフック１５７との間に設けられている。
また、ベース１５１とポール１６１との間には、第二スプリング１７３（第二弾性部材の一例）が設けられている。第二スプリング１７３は、ポール１６１を反時計回り（図８、図９において、矢印Ｅ方向）に回転させるように、ポール１６１に力を作用させる。第二スプリング１７３は、第二スプリング１７３の中心軸がポール１６１の回転軸と平行になる姿勢で、ベース１５１とポール１６１との間の空間に設けられている。
【００６６】
（突部）
フック１５７とポール１６１とが設けられるベース１５１の表面上で、フック１５７用の穴１５１ｈの回りには、フック１５７の回転軸方向においてフック１５７方向に突出する第１突部１５１ｂ（突部の一例）、第２突部１５１ｃ（補助突部の一例）、第３突部１５１ｄ（補助突部の一例）、ストッパ突部１５１ｓが形成されている。これら４つの突部のうちの少なくとも３つの突部の頂部によって、フック１５７は３点で支持されている。これら４つの突部の頂部までの高さ（フック１５７の回転軸方向の突部の寸法）は、フック１５７の回転軸方向における第一スプリング１７１の寸法より大きく設定されている。
また、ベース１５１には、穴１５１ｊが形成されている。一方、フック１５７には、図７に示すように、ベース１５１方向に突出する突部１５７ｅが形成されている。この突部１５７ｅの高さは、ベース１５１に当接しない高さに設定されている。更に、この突部１５７ｅは、フック１５７が矢印ＵＬ方向に回転すると、ベース１５１の穴１５１ｊ上を通過し、ベース１５１上のストッパ突部１５１ｓに当接可能な位置に形成されている。
【００６７】
フック１５７とポール１６１が設けられるベース１５１の表面上で、ポール１６１用の穴１５１ｉの回りにも、ポール１６１の回転軸方向においてポール１６１に向かって突出する第４突部１５１ｅ（突部の一例）、第５突部１５１ｆ（補助突部の一例）、第６突部１５１ｇ（補助突部の一例）が形成されている。これら３つの突部の頂部によって、ポール１６１が３点で支持されている。これら３つの突部のベース１５１の表面から頂部までの高さ（ポール１６１の回転軸方向の突部の寸法）は、ポール１６１の回転軸方向における第二スプリング１７３の寸法より大きく設定されている。
また、ベース１５１には、穴１５１ｋが形成されている。一方、ポール１６１には、図７に示すように、ベース１５１方向に突出する突部１６１ｅが形成されている。この突部１６１ｅの高さは、ベース１５１に当接しない高さに設定されている。更に、この突部１６１ｅは、ポール１６１が回転すると、ベース１５１の穴１５１ｋ上を通過する位置に形成されている。
【００６８】
前述した第一スプリング１７１の内端部はベース１５１の第１突部１５１ｂに係止され、外端部はフック１５７の突部１５７ｅに係止されている。第一スプリング１７１はフック１５７を時計回りに押圧している。
【００６９】
また、前述した第二スプリング１７３の内端部はベース１５１の第４突部１５１ｅに係止され、外端部はポール１６１の突部１６１ｅに係止されている。第二スプリング１７３はポール１６１を反時計回りに押圧している。
【００７０】
以上のように、第一スプリング１７１の内端部が固定される第１突部１５１ｂが、ベース１５１に設けられている。このフック１５７の回転軸方向における第１突部１５１ｂの突出長さ（ベース１５１の表面から第１突部１５１ｂの頂部までの長さ）は、フック１５７の回転軸方向における第一スプリング１７１の長さよりも大きくされている。
また、本実施形態では、第一スプリング１７１と同様に、第二スプリング１７３の内端部が固定される第４突部１５１ｅが、ベース１５１に設けられている。このポール１６１の回転軸方向における第４突部１５１ｅの突出長さは、ポール１６１の回転軸方向における第二スプリング１７３の長さよりも大きくされている。
【００７１】
（ロック状態およびアンロック状態）
次に、上記構成の作動を説明する。
【００７２】
フック１５７がロック位置にある図９の状態では、フック１５７の凹部１５７ｄと、ポール１６１の凸部１６１ａとが係合している。このロック状態において、フック１５７は回転が禁止され、ストライカ１５３はフック１５７のスリット１５７ａから離脱が禁止されている。つまり、フック１５７とポール１６１との相対回転がロックされると、ストライカ１５３がスリット１５７ａからの離脱が禁止されたロック状態となる。
【００７３】
ここで、第二スプリング１７３の付勢力に抗して、ポール１６１を矢印Ｅの反対方向（時計回り）に回転させると、フック１５７の凹部１５７ｄと、ポール１６１の凸部１６１ａとの係合が解除される。すると、フック１５７は第一スプリング１７１の押圧力により時計回りに回転して図８に示したアンロック状態となり、ストライカ１５３はフック１５７のスリット１５７ａからの離脱が許容される。つまり、フック１５７とポール１６１との相対回転とのロックが解除されると、ストライカ１５３がスリット１５７ａからの離脱が許容されたアンロック状態となる。
【００７４】
尚、本実施形態では、ベース１５１のフック１５７が設けられる表面には、ストッパ突部１５１ｓが形成されている。このストッパ突部１５１ｓに、アンロック位置にあるフック１５７の突部１５７ｅが当接し、それ以上のアンロック位置方向への回転を禁止している。
【００７５】
逆に、図８に示すアンロック状態にある場合、ストライカ１５３でフック１５７のスリット１５７ａの開口部近傍の面１５７ｎを押すと、フック１５７は第一スプリング１７１の押圧力に抗してロック位置方向へ回転する。そして、フック１５７の凹部１５７ｄと、ポール１６１の凸部１６１ａとが係合し、フック１５７のアンロック方向への回転が禁止され、ストライカ１５３はフック１５７のスリット１５７ａから離脱できない状態でロック状態となる。
【００７６】
（組み付け方法）
次に、上記構成のロック装置の組み付け方法を図７−図９を用いて説明する。
【００７７】
最初に、ベース１５１の裏面側からブッシュ１４５の円筒部１４５ａをベース１５１の穴１５１ｈに挿入する。また、ベース１５１の裏面側からブッシュ１４７の円筒部１４７ａをベース１５１の穴１５１ｉに挿入する。このとき、ベース１５１の表面よりも、ブッシュ１４５の円筒部４５ａとブッシュ１４７の円筒部１４７ａが突出する。
【００７８】
次に、ベース１５１の表面に第一スプリング１７１を配置し、更に、第一スプリング１７１の内端部を第１突部１５１ｂに係止させる。また、第一スプリング１７１の外端部をベース１５１の裏面から穴１５１ｊを介して、第一スプリング１７１の弾性力が発生している状態で保持する。フック１５７を第一スプリング１７１上に配置すると共に、第一スプリング１７１の外端部を保持する力を解除した際に、第一スプリング１７１の外端部が移動する方向にフック１５７の突部１５７ｅを位置させた上で、第一スプリング１７１の外端部を保持する力を解除し、第一スプリング１７１の外端部をフック１５７の突部１５７ｅに係止させる。
【００７９】
更に、ベース１５１の表面に第二スプリング１７３を配置し、更に、第二スプリング１７３の内端部を第４突部１５１ｅに係止させる。また、第二スプリング１７３の外端部をベース１５１の裏面から穴１５１ｋを介して、第二スプリング１７３の弾性力が発生している状態で保持する。ポール１６１を第二スプリング１７３上に配置すると共に、第二スプリング１７３の外端部を保持する力を解除した際に、第二スプリング１７３の外端部が移動する方向にポール１６１の突部１６１ｅを位置させた上で、第二スプリング１７３の外端部を保持する力を解除し、第二スプリング１７３の外端部をポール１６１の突部１６１ｅに係止させる。
【００８０】
上記構成によれば、以下のような効果が得られる。
【００８１】
（１）第一スプリング１７１の端部が固定され回転軸と平行な方向に突出する第１突部１５１ｂがベース１５１に設けられている。また、第１突部１５１ｂの回転軸方向の突出長さは、第一スプリング１７１の回転軸方向の長さよりも大きい。
上述の第一実施形態と同様に、第１突部１５１ｂが、第一スプリング１７１の端部を固定する機能と第一スプリング１７１が変形できる空間を確保する機能という二つの機能を兼ね備えている。このため、ロック装置をシンプルに構成できる。
【００８２】
また、特に、本実施形態においては、第一スプリング１７１の内端部を固定する第１突部１５１ｂに、上記空間を確保する機能を持たせている。つまり、第１突部１５１ｂは、第一スプリング１７１の近くに配置されているので、第一スプリング１７１の弾性変形を妨げないように、該空間を確保しやすい。さらに、本実施形態の第１突部１５１ｂは、効果的に該空間を確保しやすく、かつ、第一スプリング１７１との干渉を避けた位置に、設けられている。
【００８３】
なお、第４突部１５１ｅも、第１突部５１ｂと同様に機能する。つまり、第４突部１５１ｅも、第二スプリング１７３の一端部を固定する機能と、ベース１５１とポール１６１との間の第二スプリング１７３が変形する空間を確保する機能とを有する。
【００８４】
（２）本実施形態によれば、ベース１５１には、フック１５７とベース１５１との間に延びる第２突部１５１ｃおよび第３突部１５１ｄが設けられている。この第２突部１５１ｃおよび第３突部１５１ｄも、第一スプリング１７１が変形するためのベース１５１とフック１５７との間の空間を確保する機能を有する。これにより、ベース１５１とフック１５７との間の空間をより確保しやすい。
また、ベース１５１には、ポール１６１とベース１５１との間に延びる第５突部１５１ｆおよび第６突部１５１ｇが設けられている。第５突部１５１ｆおよび第６突部１５１ｇも、第二スプリング１７３が変形するためのベース１５１とポール１６１との間の空間を確保する機能を有する。これにより、ベース１５１とポール１６１との間の空間をより確保しやすい。
【００８５】
（３）本実施形態によれば、第１突部１５１ｂおよび第２突部１５１ｃ、第３突部１５１ｄは、ベース１５１に設けられており、第１突部１５１ｂ、第２突部１５１ｃ、第３突部１５１ｄによって、ベース１５１とフック１５７は３点で接触している。これにより、フック１５７のベース１５１に対する姿勢が安定する。
同様に、第４突部１５１ｅ、第５突部１５１ｆ、第６突部１５１ｇによって、ベース１５１とポール１６１とは３点で接触している。このため、ポール１６１のベース１５１に対する姿勢が安定する。
【００８６】
（４）本実施形態によれば、第一スプリング１７１は、フック１５７の回転軸を中心とするフラットスパイラルスプリングである。
また、第二スプリング１７３は、ポール１６１の回転軸を中心とするフラットスパイラルスプリングであり、第５突部１５１ｆおよび第６突部１５１ｇは、フラットスパイラルスプリングの外周面に接触する位置に設けられている。これにより、第５突部１５１ｆおよび第６突部１５１ｇは、第二スプリング１７３が弾性変形した場合でも、第二スプリング１７３と干渉しにくい。
【００８７】
（５）第１突部１５１ｂは、フック１５７に設けられており、第１突部１５１ｂがベース１５１の表面に設けられたストッパ突部１５１ｓに接することにより、フック１５７のベース１５１に対する回転が規制される。これにより、ベース１５１とフック１５７とを小型化できる。
【００８８】
本出願は、2012年12月12日出願の日本特許出願（特願2012-271339）に基づくものであり、その内容はここに参照として取り込まれる。
【符号の説明】
【００８９】
５１  ベース
５３  ストライカ
５１ｂ  第１突部（突部の一例）
５１ｅ  第４突部（突部の一例）
５７  フック（第一回転部材の一例）
６１  ポール（第二回転部材の一例）
７１  第一スプリング（第一弾性部材の一例）
７３  第二スプリング（第二弾性部材の一例） 
【図１】
0005727671.tif 000002
【図２】
0005727671.tif 000003
【図３】
0005727671.tif 000004
【図４】
0005727671.tif 000005
【図５】
0005727671.tif 000006
【図６】
0005727671.tif 000007
【図７】
0005727671.tif 000008
【図８】
0005727671.tif 000009
【図９】
0005727671.tif 000010